(57)【要約】【課題】  ネジなどの固定部品を用いずに、装飾部材がステアリング本体に簡単に取り付け固定され、荷重の入力時に装飾部材を適切に変形させて衝撃を効果的に吸収することが可能なステアリングホイールを提供することにある。【解決手段】本発明のステアリングホイール(1)は、装飾部材(20)がステアリング本体(2)側に固定手段を介して取り付け固定され、固定手段は、装飾部材(20)の変形時に抜脱が規制される複数の係着固定手段と、装飾部材(20)の曲げ変形を生じさせる部位に配され、装飾部材(20)の変形時に抜脱が規制されない係合手段とを有する。【選択図】図１
2014233986.tif 000002
【特許請求の範囲】
【請求項１】
ステアリングシャフトに連結されるステアリング本体と、前記ステアリング本体の一部を被覆するように前記ステアリング本体の乗員対向面側に取り付け固定される少なくとも１つの装飾部材とを有するステアリングホイールであって、
前記装飾部材は、所望の形状を備えるとともに荷重により変形可能に構成され、且つ、前記ステアリング本体のステアリング面に対して略直交する着脱方向から、前記ステアリング本体側に固定手段を介して取り付け固定され、
前記固定手段は、前記装飾部材の変形時に前記装飾部材の抜脱が規制される複数の係着固定手段と、前記装飾部材の変形時に前記装飾部材の抜脱が規制されない係合手段とを有し、
前記係合手段は、前記係着固定手段に挟まれ、前記ステアリング本体に荷重が入力されて変形が生じるときに前記装飾部材に曲げ変形を生じさせる部位に配されてなる、
ことを特徴とするステアリングホイール。
【請求項２】
前記係着固定手段は、少なくとも前記装飾部材の前記着脱方向への移動を規制する着脱方向規制部と、前記着脱方向規制部の近傍に配され、前記装飾部材の前記着脱方向に直交する方向への移動を規制する直交方向規制部とを有してなる請求項１記載のステアリングホイール。
【請求項３】
前記着脱方向規制部は、前記装飾部材に前記着脱方向に略直交する方向へ向けて突設された係着固定片部と、前記ステアリング本体側に形成され、前記係着固定片部を引っ掛けて係着させる係着凹部又は係着孔部とにより構成されてなる請求項２記載のステアリングホイール。
【請求項４】
前記直交方向規制部は、前記装飾部材の前記ステアリング本体に対向する対向面から前記ステアリング本体に向けて突出し、前記着脱方向に直交する方向の断面が略Ｌ字状を呈するＬ字状突片部と、前記ステアリング本体側に穿設され、前記Ｌ字状突片部を嵌入するＬ字状溝部とにより構成されてなる請求項２又は３記載のステアリングホイール。
【請求項５】
前記係合手段は、前記装飾部材の前記ステアリング本体に対向する対向面から前記ステアリング本体に向けて突出する板状突片部と、前記ステアリング本体側に穿設され、前記板状突片部の前記着脱方向への抜脱が規制されない孔部とにより構成されてなる請求項１〜４のいずれかに記載のステアリングホイール。
【発明の詳細な説明】
【技術分野】
【０００１】
本発明は、ステアリング本体に合成樹脂製の装飾部材が取り付け固定されたステアリングホイールに関し、特に、装飾部材の取付性に優れ、また、荷重を受けたときに適切に変形することが可能なステアリングホイールに関する。
【背景技術】
【０００２】
一般に、自動車のステアリングホイールは、ステアリングシャフトに連結されるボス部と円環状のリム部とが複数のスポーク部により連結されて構成されたステアリング本体を有している。また、ステアリング本体のボス部には、エアバッグ装置が装着されるとともに、そのエアバッグ装置を被うように、ホーン機構を備えたパッド部が取り付けられている。
【０００３】
更に、パッド部の周囲には、ステアリング本体のスポーク部を被覆するように、装飾部材（ガーニッシュ又はオーナメントと呼ばれることもある）が取り付けられており、この装飾部材によって、ステアリングホイールの意匠性が高められる。また、ステアリング本体のリム部やパッド部との間の段差を小さくすることにより、ステアリングホイールの操作性や操作安定性を向上させることもある。
【０００４】
このような装飾部材が取り付けられたステアリングホイールの一例が、例えば特開２０１２−１４４０７６号公報（特許文献１）に記載されている。
【０００５】
この特許文献１に記載されているステアリングホイールは、ステアリング本体に装飾部材（オーナメント）が取り付けられて構成されている。ステアリング本体は、環状のリム部と、リム部の中央部に配されたボス部（ハブ部）と、リム部とボス部を連結する複数のスポーク部とを備えている。
【０００６】
また、装飾部材は、左右一対の第１及び第２装飾部材と、第１及び第２装飾部材間に組付け固定される第３装飾部材とを有している。また、第１装飾部材〜第３装飾部材は合成樹脂の射出成形によって、それぞれ別体に形成されており、第３装飾部材の左右側縁部を第１装飾部材の対向側縁部と第２装飾部材の対向側縁部とにスライド挿入して嵌め込むことによって、第１装飾部材〜第３装飾部材が一体的に組み立てられた組立装飾部材が構成される。
【０００７】
特に、特許文献１における組立装飾部材では、第１装飾部材と第３装飾部材の間に隙間を形成する対向端面と、第２装飾部材と第３装飾部材の間に隙間を形成する対向端面とが、ステアリングホイールに対して正面を向いた運転者の視線に対して交差するように斜めに配置された傾斜面に構成されている。
【０００８】
このような特許文献１の組立装飾部材は、平面視にて、全体形状が略Ｙ字状を呈しており、ステアリングホイールにおけるパッド部の外周部に沿うようにして、ステアリング本体に取り付け固定される。
【０００９】
この場合、組立装飾部材の裏面には、複数の格子状の補強リブと、補強リブに連結された取付固定部とが組立装飾部材に一体に形成されており、その組立装飾部材は、ステアリング本体のスポーク部に対して、係止ピンなどにより位置決めされるとともに、組立装飾部材の裏面に設けた取付固定部が、スポーク部に形成された取付台座に、ねじ締めにより締付固定されている。
【先行技術文献】
【特許文献】
【００１０】
【特許文献１】特開２０１２−１４４０７６号公報
【発明の概要】
【発明が解決しようとする課題】
【００１１】
特許文献１に記載されているステアリングホイールでは、装飾部材（組立装飾部材）をステアリング本体に固定する手段として、前述のように、ねじ締めによる締付固定が利用されている。このように、従来のステアリングホイールでは、ステアリング本体と装飾部材とを固定させるために、一般的に、ネジ、ビス、ボルトなどの固定部品を用いて装飾部材がステアリング本体に固定されている。
【００１２】
しかしながら、このようにネジやビスなどの固定部品を用いて装飾部材をステアリング本体に固定する場合、部品点数が多くなるため、各部品の管理が煩雑になることや、ステアリングホイールの組立工程が複雑になることがあった。
【００１３】
また、ネジやビスなどの固定部品を用いて固定する場合、固定部品を取り付けるための取付固定部を装飾部材に設ける必要があるが、ステアリングホイールの組立作業等を考慮すると、取付固定部の設置位置が制限されることがあった。更に、例えば装飾部材を細長い形状に設計する場合、装飾部材に取付固定部を設けることが難しくなることや、組立作業が困難になることもあった。
【００１４】
このように、ネジやビスなどの固定部品を用いる場合、ステアリングホイールの設計の自由度を低下させることが多いため、固定部品を用いずに、装飾部材をステアリング本体に固定する手段を採用することが望まれる。
【００１５】
一方、ステアリングホイールは、例えば自動車の衝突時などに、運転席側から運転者などによる荷重の入力を受けたときに、ステアリングホイールを変形させることによって、運転者などが受ける衝撃を吸収して緩和するように構成されている。
【００１６】
このため、ステアリングホイールは、衝撃吸収性能を高めるために、ステアリングホイールの変形量（特に、ステアリング本体の変形量）が極力大きくなるように構成されることが望ましいが、前述のようにネジやビスなどの固定部品を用いて装飾部材をステアリング本体に固定する場合、装飾部材における取付固定部の設置位置や、固定部品の取付位置によっては、装飾部材によってステアリング本体の変形が規制されることがある。
【００１７】
このため、従来では、固定部品を用いて装飾部材がステアリング本体に固定されても、ステアリング本体の変形が規制されないように装飾部材などの設計を行うこととなり、ステアリングホイールの設計の自由度の更なる低下を招いてしまい、例えば装飾部材を、幅が狭く細長い形状等に設計し難くなり、ステアリングホイールにおいて外観上の差別化を出すことや、意匠性を高めることが難くなっていた。
【００１８】
一方、例えば塗装で細長い意匠部を装飾部材に形成しようとすると、塗装のためのマスキング等が必要になることや、塗料が乾くまでの時間がかかるためコストアップを招き、また、塗装では外観においてシャープな感じを出し難い。
【００１９】
本発明は上記従来の課題に鑑みてなされたものであって、その具体的な目的は、ネジやビスなどの固定部品を用いることなく、装飾部材をステアリング本体に簡単に取り付け固定することが可能で、且つ、操作性や操作安定性が確保されるとともに、荷重が入力され
たときに、装飾部材をステアリング本体に追従させるように適切に変形させて衝撃を効果的に吸収することが可能であり、更には、設計の自由度を高めることが可能なステアリングホイールを提供することにある。
【課題を解決するための手段】
【００２０】
上記目的を達成するために、本発明により提供されるステアリングホイールは、基本的な構成として、ステアリングシャフトに連結されるステアリング本体と、前記ステアリング本体の一部を被覆するように前記ステアリング本体の乗員対向面側に取り付け固定される少なくとも１つの装飾部材とを有するステアリングホイールであって、前記装飾部材は、所望の形状を備えるとともに荷重により変形可能に構成され、且つ、前記ステアリング本体のステアリング面に対して略直交する着脱方向から、前記ステアリング本体側に固定手段を介して取り付け固定され、前記固定手段は、前記装飾部材の変形時に前記装飾部材の抜脱が規制される複数の係着固定手段と、前記装飾部材の変形時に前記装飾部材の抜脱が規制されない係合手段とを有し、前記係合手段は、前記係着固定手段に挟まれ、前記ステアリング本体に荷重が入力されて変形が生じるときに前記装飾部材に曲げ変形を生じさせる部位に配されてなることを最も主要な特徴とするものである。
【００２１】
本発明に係るステアリングホイールにおいて、前記係着固定手段は、少なくとも前記装飾部材の前記着脱方向への移動を規制する着脱方向規制部と、前記着脱方向規制部の近傍に配され、前記装飾部材の前記着脱方向に直交する方向への移動を規制する直交方向規制部とを有していることが好ましい。
【００２２】
この場合、前記着脱方向規制部は、前記装飾部材に前記着脱方向に略直交する方向へ向けて突設された係着固定片部と、前記ステアリング本体側に形成され、前記係着固定片部を引っ掛けて係着させる係着凹部又は係着孔部とにより構成されていることが好ましい。
【００２３】
また、前記直交方向規制部は、前記装飾部材の前記ステアリング本体に対向する対向面から前記ステアリング本体に向けて突出し、前記着脱方向に直交する方向の断面が略Ｌ字状を呈するＬ字状突片部と、前記ステアリング本体側に穿設され、前記Ｌ字状突片部を嵌入するＬ字状溝部とにより構成されていることが好ましい。
【００２４】
更に本発明において、前記係合手段は、前記装飾部材の前記ステアリング本体に対向する対向面から前記ステアリング本体に向けて突出する板状突片部と、前記ステアリング本体側に穿設され、前記板状突片部の前記着脱方向への抜脱が規制されない孔部とにより構成されていることが好ましい。
【発明の効果】
【００２５】
本発明に係るステアリングホイールは、ステアリング本体と、ステアリング本体側に固定手段を介して取り付け固定される少なくとも１つの装飾部材とを有しており、装飾部材は、所望の形状を備えるとともに、荷重により変形可能に構成されている。
【００２６】
なお本発明において、装飾部材がステアリング本体側に固定されるとは、装飾部材がステアリング本体に直接的に取り付けられて固定される場合だけでなく、ステアリング本体に取着された他の部材に装飾部材が取り付けられることによって、装飾部材が、当該他の部材を介して間接的に取り付け固定される場合も含む。
【００２７】
また、装飾部材をステアリング本体側に固定する固定手段は、装飾部材の変形時に装飾部材の抜脱が規制される複数の係着固定手段と、装飾部材の変形時に装飾部材の抜脱が規制されない係合手段とにより構成されている。
【００２８】
このような本発明のステアリングホイールであれば、ネジやビスなどの固定部品を用いることなく、複数の係着固定手段と、少なくとも１つの係合手段とにより、装飾部材を、ステアリング本体のステアリング面に対して略直交する方向から、ステアリング本体側に取り付け固定することができる。
【００２９】
このようにネジやビスなどの固定部品が不要となることにより、ステアリングホイールの部品点数を少なくすることができるため、部品管理が簡略化されるとともに、ステアリングホイールの組立作業を簡単に行うことができる。
【００３０】
また、ネジやビスなどの固定部品が不要となることにより、装飾部材に固定部品を取り付けるための取付固定部を設ける必要もなくなるため、ステアリングホイールの設計の自由度が高められ、例えば、装飾部材を幅が狭い細長い形状に設計してステアリング本体側に取り付け固定することも可能となる。それにより、ステアリングホイールの外観を従来のステアリングホイールとは異ならせて差別化を図ることや、ステアリングホイールの意匠性を容易に高めることが可能となる。
【００３１】
しかも、本発明では、係着固定手段によって、ステアリング本体に対する装飾部材の固定強度が安定して確保されるだけでなく、係着固定手段と係合手段によって、装飾部材の固定状態を安定して維持することができ、それによって、ステアリングホイールの優れた操作性や操作安定性を安定して確保することができる。
【００３２】
更に、本発明において、係合手段は、係着固定手段に対して所定の部位、すなわち、２つの係着固定手段に挟まれるとともに、ステアリング本体が荷重の入力により変形するときに装飾部材に曲げ変形を生じさせる部位に設けられ、例えば、装飾部材の端部に挟まれる中央部に設けられることが好ましい。これにより、ステアリング本体の変形時に装飾部材をステアリング本体に追従させるように変形させることができるため、ステアリング本体の変形が規制されることも防止できる。
【００３３】
このような本発明のステアリングホイールにおいて、係着固定手段は、少なくとも装飾部材の着脱方向への移動を規制する着脱方向規制部と、装飾部材の着脱方向に直交する方向への移動を規制する直交方向規制部とを有している。このような係着固定手段によれば、装飾部材をステアリング本体側に抜脱不能に係着させて固定することができるため、ネジやビスなどの固定部品を用いなくても、装飾部材をステアリング本体に固定することができる。また、ステアリングホイールの変形時に、装飾部材の変形をステアリング本体の変形に追従させることができる。
【００３４】
この場合、係着固定手段の着脱方向規制部が、装飾部材に着脱方向に略直交する方向へ向けて突設された爪状の係着固定片部と、ステアリング本体側に形成され、係着固定片部を引っ掛けて係着させる係着凹部又は係着孔部とによって構成されていることにより、当該着脱方向規制部を簡単な構造で容易に形成でき、製造コストへの負担を軽減することができる。
【００３５】
また、係着固定手段の直交方向規制部が、装飾部材のステアリング本体に対向する対向面からステアリング本体に向けて突出し、着脱方向に直交する方向の断面が略Ｌ字状を呈するＬ字状突片部と、ステアリング本体側に穿設され、Ｌ字状突片部を嵌入するＬ字状溝部とにより構成されていることにより、当該直交方向規制部を簡単な構造で容易に形成でき、製造コストへの負担を軽減することができる。
【００３６】
更に本発明において、係合手段が、装飾部材のステアリング本体に対向する対向面からステアリング本体に向けて突出する板状突片部と、ステアリング本体側に穿設され、板状
突片部の着脱方向への抜脱が規制されない孔部とにより構成されていることにより、当該係合手段を簡単な構造で容易に形成でき、製造コストへの負担を軽減することができる。
【図面の簡単な説明】
【００３７】
【図１】本発明に係るステアリングホイールの要部を分解して示す要部分解斜視図である。
【図２】同ステアリングホイールの第１装飾部材に第２装飾部材が取り付け固定された状態を示す正面図である。
【図３】同ステアリングホイールの第１装飾部材を示す背面図である。
【図４】同ステアリングホイールの第２装飾部材を示す背面図である。
【図５】図２に示したＶ−Ｖ線における断面を示す断面図である。
【図６】図２に示したＶＩ−ＶＩ線における断面を示す断面図である。
【図７】図２に示したＶＩＩ−ＶＩＩ線における断面を示す断面図である。
【図８】図２に示したＶＩＩＩ−ＶＩＩＩ線における断面を示す断面図である。
【図９】図２に示したＩＸ−ＩＸ線における断面を示す断面図である。
【図１０】図２に示したＸ−Ｘ線における断面を示す断面図である。
【図１１】図２に示したＸＩ−ＸＩ線における断面を示す断面図である。
【図１２】図２に示したＸＩＩ−ＸＩＩ線における断面を示す断面図である。
【発明を実施するための形態】
【００３８】
以下、本発明の好適な実施の形態について、実施例を挙げて図面を参照しながら詳細に説明する。なお、本発明は、以下で説明する実施例に何ら限定されるものではなく、本発明と実質的に同一な構成を有し、かつ、同様な作用効果を奏しさえすれば、多様な変更が可能である。
【００３９】
例えば、以下の実施例では、第２装飾部材が、ステアリング本体に取着される第１装飾部材に取り付けられることによって、その第１装飾部材を介して第２装飾部材がステアリング本体に対して間接的に取り付け固定される場合について主に説明しているが、本発明は、例えば単一の装飾部材がステアリング本体に直接取り付けられて固定されるステアリングホイールに対しても同様に適用することが可能である。また、本発明において、ステアリング本体や各装飾部材の形状及び大きさについては任意に変更することができる。
【実施例１】
【００４０】
図１は、本実施例１に係るステアリングホイールの要部を分解して示す要部分解斜視図である。図２は、同ステアリングホイールの第１装飾部材に第２装飾部材が取り付け固定された状態を示す正面図である。また、図３及び図４は、それぞれ第１装飾部材及び第２装飾部材を示す背面図である。
【００４１】
本実施例１のステアリングホイール１は、自動車の運転席の前方に位置するステアリングシャフトに装着されるものであり、その上端部が下端部よりも前方側に位置するように、ステアリングホイール１のステアリング面が、自動車の前後方向に直交する面に対して所定の角度で傾斜した状態で回転可能に配されている。
【００４２】
ここで、ステアリング面とは、ステアリングホイール１におけるリム部３の全周が形成する仮想の平面のことを言う。なお、以下の説明において、前後方向とは、ステアリング面に対して直交する方向を指し、特に、ステアリング面に対して運転席側の方向を前方とし、ステアリング面に対してステアリングシャフトが配される側の方向を後方とする。
【００４３】
また、上下方向とは、ステアリング面に平行な方向であって、車両の上下方向に沿った向きを指し、左右方向とは、ステアリング面に平行な方向であって、車両の左右方向に沿
った向きを指すものとする。
【００４４】
本実施例１のステアリングホイール１は、ステアリング本体２と、ステアリング本体２の中央部（後述するボス部４）の前面側に装着される図示しないエアバッグ装置と、エアバッグ装置及びステアリング本体２の後述する下スポーク部５を被うようにステアリング本体２に取着される図示しないパッド部と、パッド部の左右両側に配され、ステアリング本体２の後述する左右スポーク部５を被う左右の第１装飾部材（第１ガーニッシュ）１０と、第１装飾部材１０の前面側に取り付け固定される左右の第２装飾部材（第２ガーニッシュ）２０とを有している。また、パッド部には、その内部にホーン機構が備えられている。
【００４５】
なお、本実施例１において、図示しないエアバッグ装置及びパッド部については、従来の一般的なステアリングホイールに用いられているエアバッグ装置及びパッド部と基本的に同様に構成されているため、ここでは、これらの詳細な説明を省略することとする。
【００４６】
また、左側の第１及び第２装飾部材１０，２０と、右側の第１及び第２装飾部材１０，２０とは左右対称的に形成されており、パッド部の左右両側にそれぞれ取り付けられている。このため、以下では、左右の第１及び第２装飾部材１０，２０に関する説明の冗長を避けるために、パッド部の左側に取り付けられる第１及び第２装飾部材１０，２０を中心にその説明を行うこととする。
【００４７】
本実施例１のステアリング本体２は、円環状のリム部３と、リム部３の略中心部分に配されるボス部４と、リム部３とボス部４とを連結する３本のスポーク部５とを有している。なお、本実施例１では、ステアリングホイール１がニュートラルの位置に保持されている状態のステアリング本体２を正面側から見たときに、３本のスポーク部５が略Ｔ字状を呈するように配されている。この場合、ボス部４から左側及び右側に向けて延設されているスポーク部５を、それぞれ左スポーク部５及び右スポーク部５とし、ボス部４から下方に延設されているスポーク部５を下スポーク部５とする。
【００４８】
このステアリング本体２は、鉄、アルミニウム、マグネシウムなどの金属材料を用いて成された骨格となる芯金と、リム部３とスポーク部５の一部を構成する芯金を覆うように配され、発泡ウレタンなどの合成樹脂により構成された表皮部とを有している。更に、ステアリング本体２には、ステアリングホイール１の意匠性を高めるために、表皮部に本革を巻き付けることや加飾を行うことも可能である。
【００４９】
また、ステアリング本体２の左右スポーク部５には、第１装飾部材１０の後述する係合突起部１０ｂを挿入して固定する取付孔５ａが穿設されており、更に、ボス部４と左右スポーク部５とには、ネジを用いて第１装飾部材１０を固定する複数のネジ孔５ｂが形成されている。
【００５０】
このステアリング本体２に取り付け固定される第１装飾部材１０は、例えばポリカーボネート樹脂、ＡＢＳ樹脂、及びポリカーボネート樹脂とＡＢＳ樹脂の混合樹脂などのような変形可能な性質を有する合成樹脂により構成されており、例えば図２及び図３に示したように、全体として、上端部から下端部にかけて前後方向に少し湾曲した所望の形態を有している。
【００５１】
この第１装飾部材１０の裏面側には、第１装飾部材１０を補強する補強リブ１０ａと、ステアリング本体２のスポーク部５に穿設された取付孔５ａに挿入される係合突起部１０ｂと、ステアリング本体２のボス部４及びスポーク部５に形成されたネジ孔５ｂの位置に対応して配されるネジ取付部１０ｃとが設けられている。
【００５２】
また、第１装飾部材１０は、ステアリングホイール１を組み立てたときに外部に露出する第１装飾本体部１１と、第１装飾本体部１１より内側（パッド部側）に配される第２装飾部材２０用の取付部１２と、その取付部１２より内側（パッド部側）に延出する内側延出部１３とを有している。
【００５３】
第１装飾部材１０の第１装飾本体部１１には、複数の開口部１１ａが形成されている。これらの各開口部１１ａには、ステアリングホイール１の組み立て時に、例えばオーディオ装置、ナビゲーション装置、車載電話装置、自動車変速装置などの各種車載装置を操作する操作部が装着される。
【００５４】
第１装飾部材１０の取付部１２は、第２装飾部材２０の形状に対応させるように、第１装飾本体部１１の内側に沿って形成されている。この取付部１２には、第２装飾部材２０の後述する係着固定片部２５を引っ掛けて係着させる４つの係着部１５と、第２装飾部材２０の後述するＬ字状突片部２６を嵌入する３つのＬ字状溝部１６と、取付部１２の上端部に配され、第２装飾部材２０の後述する第１板状突片部２７を挿入する１つの第１挿入孔部１７と、取付部１２の上下方向の略中央部に配され、第２装飾部材２０の後述する第２板状突片部２８を挿抜可能な１つの第２挿入孔部１８とが形成されている。
【００５５】
本実施例１の取付部１２において、第２装飾部材２０の係着固定片部２５を係着させる４つの係着部１５は、互いに上下方向に略等しい間隔をもって設けられている。この場合、４つの係着部１５を、最も上方側に配される係着部１５から下方に向けて順番に第１係着部１５ａ〜第４係着部１５ｄと呼ぶこととする。
【００５６】
また本実施例１において、上方側に配される２つの第１係着部１５ａと第２係着部１５ｂは、取付部１２の表面（前面）側から裏面（後面）側に貫通するように穿設された係着孔部により構成されており、下方側に配される２つの第３係着部１５ｃと第４係着部１５ｄは、取付部１２の表面側に凹設された係着凹部により構成されている。
【００５７】
本実施例１における３つのＬ字状溝部１６は、第２係着部１５ｂの上方側近傍と、第３係着部１５ｃの下方側近傍と、第４係着部１５ｄの下方側近傍とにそれぞれ配されており、各Ｌ字状溝部１６は、取付部１２の前面側から後方に向けて、前後方向に直交する断面が略Ｌ字状を呈するように穿設されている。
【００５８】
この場合、各Ｌ字状溝部１６は、取付部１２の幅方向に沿って形成される横溝部と、取付部１２の長さ方向に沿って形成される縦溝部とによりＬ字状に形成されており、特に、取付部１２の上方側の領域に配される第２係着部１５ｂ近傍のＬ字状溝部１６は、縦溝部が、横溝部から下方に延びるような向きでＬ字が形成されている。一方、取付部１２の下方側の領域に配される第３係着部１５ｃ近傍のＬ字状溝部１６と第４係着部１５ｄ近傍のＬ字状溝部１６とは、縦溝部が、横溝部から上方に延びるような向きでＬ字が形成されている。
【００５９】
本実施例１における第１挿入孔部１７は、第１係着部１５ａの上方側近傍に、取付部１２の前面側から後方に向けて穿設されており、当該第１挿入孔部１７の前後方向に直交する断面は、取付部１２の長さ方向に長い矩形状を呈している。
【００６０】
本実施例１における第２挿入孔部１８は、第２係着部１５ｂと第３係着部１５ｃとの間の中間位置に、取付部１２の前面側から後方に向けて穿設されており、当該第２挿入孔部１８の前後方向に直交する断面は、取付部１２の幅方向に長い矩形状を呈している。特に、本実施例１の第２挿入孔部１８は、第１装飾部材１０の取付部１２における前後方向の
略中央部に配されている。
また、本実施例１の取付部１２の表面側には、第２装飾部材２０の後述する位置決め凸部２４を嵌入させる図示しない複数の嵌入凹部と嵌入孔部とが形成されている。
【００６１】
一方、第２装飾部材２０は、第１装飾部材１０と同様に、ポリカーボネート樹脂、ＡＢＳ樹脂、及びポリカーボネート樹脂とＡＢＳ樹脂の混合樹脂などのような変形可能な性質を有する合成樹脂により構成されているものの、第１装飾部材１０とは別体に形成されている。また、第２装飾部材２０は、図４に示したように、全体として、左右方向の幅寸法を小さくして上下方向に細長く形成されているとともに、上端部から下端部にかけて前後方向と左右方向に少し湾曲した所望の形態を有している。
【００６２】
この第２装飾部材２０は、第１装飾部材１０の取付部１２に対し、位置を合わせて前方側から押し付けることによって、第１装飾部材１０に取り付けられて固定されるように設計されており、それにより、第１装飾部材１０を介して、ステアリング本体２に間接的に取り付ける固定される。この場合、第２装飾部材２０は、例えば第１装飾部材１０と異なる色彩を呈するように形成されていることにより、ステアリングホイール１の意匠性を高めることができる。
【００６３】
この第２装飾部材２０は、薄板状で弾性変形可能な第２装飾本体部２１と、第２装飾本体部２１の裏面側に爪状に設けられた４つの係着固定片部（爪部）２５と、第２装飾本体部２１の裏面側に突設された３つのＬ字状突片部２６と、第２装飾本体部２１の上端部裏面側に垂設された第１板状突片部２７と、第２装飾本体部２１における上下方向の略中央部裏面側に垂設された第２板状突片部２８とを有している。
【００６４】
第２装飾本体部２１は、ステアリングホイール１を構成したときに、第１装飾部材１０の第１装飾本体部１１の表面と連続するような面を構成する細板片部２２と、細板片部２２から湾曲部を介して延設され、パッド部に対向する側の面を構成する対向板片部２３とを有している。
【００６５】
また、第２装飾本体部２１の表面は、第２装飾部材２０を第１装飾部材１０に取り付けて固定したときに、外部に露呈する側の面であり、良好な触り心地が得られるように滑らかな面に形成されている。更に、対向板片部２３の細板片部２２に連接する側とは反対側の側端面には、第１装飾部材１０に形成された図示しない嵌入凹部及び嵌入孔部に嵌入可能な複数の位置決め凸部２４が設けられている。
【００６６】
第２装飾部材２０における４つの係着固定片部２５は、第１装飾部材１０に形成された各係着部１５の位置に対応するように、互いに上下方向に略等しい間隔をもって設けられている。この場合、４つの係着固定片部２５を、最も上方側に配される係着固定片部２５から下方に向けて順番に第１係着固定片部２５ａ〜第４係着固定片部２５ｄと呼ぶこととする。
【００６７】
第１係着固定片部２５ａ〜第４係着固定片部２５ｄは、第２装飾本体部２１における対向板片部２３の裏面から左右方向に突設された固定片本体部と、その固定片本体部の後面側に形成された一対の補強部とをそれぞれ有しており、第１装飾部材１０の係着部１５（係着孔部又は係着凹部）に引っ掛かって係着するように構成されている。
【００６８】
第２装飾部材２０における３つのＬ字状突片部２６は、第１装飾部材１０に形成された各Ｌ字状溝部１６の位置に対応するように、第２係着固定片部２５ｂの上方側近傍と、第３係着固定片部２５ｃの下方側近傍と、第４係着固定片部２５ｄの下方側近傍とにそれぞれ配されている。また、各Ｌ字状突片部２６は、第２装飾部材２０の裏面から後方に向け
て、前後方向に直交する断面が略Ｌ字状を呈するように突設されている。
【００６９】
この場合、各Ｌ字状突片部２６は、第２装飾本体部２１の幅方向に沿って形成される横片部と、第２装飾本体部２１の長さ方向に沿って形成される縦片部とによりＬ字状に形成されており、特に、第２係着固定片部２５ｂ近傍のＬ字状突片部２６は、縦片部が、横片部から下方に延びるような向きでＬ字が形成されている。一方、第３係着固定片部２５ｃ近傍のＬ字状突片部２６と第４係着固定片部２５ｄ近傍のＬ字状突片部２６とは、縦片部が、横片部から上方に延びるような向きでＬ字が形成されている。
【００７０】
従って、第２装飾部材２０の上半部に配される第２係着固定片部２５ｂ近傍のＬ字状突片部２６と、第２装飾部材２０の下半部に配される第３係着固定片部２５ｃ近傍のＬ字状突片部２６と第４係着固定片部２５ｄ近傍のＬ字状突片部２６とは、互いにＬ字が向かい合うような向きで配置されている。
【００７１】
第２装飾部材２０における第１板状突片部２７は、第１装飾部材１０に形成された第１挿入孔部１７の位置に対応するように、第１係着固定片部２５ａの上方側近傍に、第２装飾部材２０の裏面から後方に向けて突設されている。また、この第１板状突片部２７における前後方向に直交する断面は、第２装飾本体部２１の長さ方向に長い矩形状を呈している。
【００７２】
第２装飾部材２０における第２板状突片部２８は、第１装飾部材１０に形成された第２挿入孔部１８の位置に対応するように、第２係着固定片部２５ｂと第３係着固定片部２５ｃとの間の中間位置に、第２装飾部材２０の裏面から後方に向けて突設されている。特に、この第２板状突片部２８は、第２装飾部材２０における前後方向の略中央部に配されている。
【００７３】
また、第２板状突片部２８の前後方向に直交する断面は、第２装飾本体部２１の幅方向に長い矩形状を呈している。更に、当該第２板状突片部２８の先端部（後端部）は、略左右方向の寸法が第２板状突片部２８の後端に向けて漸減するような丸みを帯びた先細の形状を有している。
【００７４】
なお、本発明において、第１装飾部材１０の取付部１２に設ける係着部１５、Ｌ字状溝部１６、及び第２挿入孔部１８の形成個数や配設位置、また、第２装飾部材２０に設ける係着固定片部２５、Ｌ字状突片部２６、及び第２板状突片部２８の形成個数や配設位置は、第１及び第２装飾部材１０，２０の大きさや形状などに応じて、任意に変更することが可能である。
【００７５】
そして、上述のような構成を有する第２装飾部材２０を第１装飾部材１０の取付部１２に取り付けて固定する場合には、先ず、第２装飾部材２０を、第１装飾部材１０の取付部１２の前面上に位置合わせをして仮保持（セット）する。
【００７６】
このとき、第２装飾部材２０の係着固定片部２５、Ｌ字状突片部２６、並びに、第１及び第２板状突片部２７，２８の位置を、それぞれ第１装飾部材１０の取付部１２における係着部１５、Ｌ字状溝部１６、並びに、第１及び第２挿入孔部１７，１８の位置に合わせるとともに、第２装飾部材２０のＬ字状突片部２６と第１及び第２板状突片部２７，２８とを、第１装飾部材１０のＬ字状溝部１６と第１及び第２挿入孔部１７，１８とにそれぞれ挿入する。これにより、第１板状突片部２７に対して、第２板状突片部２８が位置決めされる。
【００７７】
第１装飾部材１０に対して第２装飾部材２０の位置を合わせて仮保持した後、第２装飾
部材２０を第１装飾部材１０の取付部１２に向けて後方側に押し込む。このとき、第２装飾部材２０の各係着固定片部２５が第１装飾部材１０の各係着部１５に嵌着するように、第２装飾部材２０を部分的に強く押圧する。
【００７８】
これにより、第２装飾部材２０のＬ字状突片部２６が、第１装飾部材１０のＬ字状溝部１６内に深く挿し込まれるとともに（図５，６，１１及び１２を参照）、第２装飾部材２０の第１及び第２板状突片部２７，２８が、第１装飾部材１０の第１及び第２挿入孔部１７，１８内に深く挿し込まれる（図８及び９を参照）。また同時に、第２装飾部材２０の第１係着固定片部２５ａ〜第４係着固定片部２５ｄが、第１装飾部材１０の第１係着部１５ａ〜第４係着部１５ｂにそれぞれ嵌着する（図７及び１０を参照）。それによって、第１装飾部材１０と第２装飾部材２０とが互いに組み付けられて固定される。
【００７９】
このように固定された第１及び第２装飾部材１０，２０では、第２装飾部材２０の第１係着固定片部２５ａ〜第４係着固定片部２５ｄが第１装飾部材１０の第１係着部１５ａ〜第４係着部１５ｄにそれぞれ嵌着することにより、第２装飾部材２０の前後方向への移動を規制する前後方向規制部（着脱方向規制部）３１が構成される。また、第２装飾部材２０の各Ｌ字状突片部２６が第１装飾部材１０の各Ｌ字状溝部１６内に挿入されるとともに、第２装飾部材２０の第１板状突片部２７が第１装飾部材１０の第１挿入孔部１７内に挿入されることにより、第２装飾部材２０の前後方向に直交する方向への移動を規制する直交方向規制部３２が構成される。
【００８０】
更に本実施例１では、前述したように、直交方向規制部３２を構成する第１装飾部材１０の各Ｌ字状溝部１６と第２装飾部材２０の各Ｌ字状突片部２６が、前後方向規制部３１を構成する第１装飾部材１０の第２係着部１５ｂ〜第４係着部１５ｄと第２装飾部材２０の第２係着固定片部２５ｂ〜第４係着固定片部２５ｄの近傍にそれぞれ配置されている。また、直交方向規制部３２を構成する第１装飾部材１０の第１挿入孔部１７と第２装飾部材２０の第１板状突片部２７が、前後方向規制部３１を構成する第１装飾部材１０の第１係着部１５ａと第２装飾部材２０の第１係着固定片部２５ａの近傍に配されている。このため、各前後方向規制部３１と各直交方向規制部３２とは、それぞれ相互に作用を及ぼしている。すなわち、第２装飾部材２０の第１係着固定片部２５ａ〜第４係着固定片部２５ｄは、直交方向規制部３２の作用によって前後方向に直交する方向への移動が規制される。
【００８１】
一方、第２装飾部材２０の各Ｌ字状突片部２６と第１板状突片部２７は、前後方向規制部３１の作用によって前後方向（着脱方向）への移動が規制される。従って、第２装飾部材２０の第２係着固定片部２５ｂ〜第４係着固定片部２５ｄとＬ字状突片部２６とが配されている領域や、第２装飾部材２０の第１係着固定片部２５ａと第１板状突片部２７とが配されている領域では、前後方向規制部３１と直交方向規制部３２により構成される係着固定手段（嵌着構造）によって、第１装飾部材１０に対して第２装飾部材２０の抜脱が規制される。
【００８２】
また、第２装飾部材２０における前後方向の略中央部に配された第２板状突片部２８は、第１装飾部材１０の第２挿入孔部１８内に挿入されることにより当該第２挿入孔部１８に係合し、第１装飾部材１０に対して第２装飾部材２０の前後方向に直交する方向への移動を規制することができる。これにより、第２装飾部材２０の相対的な位置がずれることや、細長い第２装飾部材２０が局部的に折れ曲がることなどが防止され、第１装飾部材１０と第２装飾部材２０との固定状態を安定して維持することができる。
【００８３】
なお、このような第２装飾部材２０の第２板状突片部２８と第１装飾部材１０の第２挿入孔部１８とにより構成される係合手段（係合構造）では、第２装飾部材２０の前後方向
への移動を許容し、第２装飾部材２０を第１装飾部材１０に対して抜脱可能に係合させている。このため、この第２装飾部材２０の第２板状突片部２８が配されている領域が、例えば第１装飾部材１０から離間する方向の力を受けた場合は、当該領域が局部的に弾性変形して第１装飾部材１０から離間するように移動することが可能となる。
【００８４】
そして、上述のように第２装飾部材２０が組み付けられた第１装飾部材１０は、当該第１装飾部材１０に形成された各開口部１１ａに、各種車載装置の図示しない操作部を装着した後、図１に示すように、左右スポーク部５を被うように位置を合わせてステアリング本体２に取り付けられ、更にネジ等を用いて固定される。
【００８５】
なお、本発明では、ステアリングホイール１を組み立てる際に、例えばステアリング本体２に第１装飾部材１０を取り付けて固定した後に、その第１装飾部材１０に対して第２装飾部材２０を組み付けることも可能である。
【００８６】
その後、第１及び第２装飾部材１０，２０が取り付けられたステアリング本体２に、図示しないエアバッグ装置とパッド部とが取り付けられることによって、本実施例１のステアリングホイール１が得られる。
【００８７】
上述のようにして組み立てられた本実施例１のステアリングホイール１では、細長く形成された第２装飾部材２０を、前後方向規制部３１と直交方向規制部３２とを備えた係着固定手段（嵌着構造）や、第１装飾部材１０の第２挿入孔部１８と第２装飾部材２０の第２板状突片部２８による係合手段（係合構造）によって、ネジやビスなどの固定部品を用いることなく、第１装飾部材１０に簡単に取り付けて固定することができる。
【００８８】
このため、本実施例１のステアリングホイール１は、例えば第２装飾部材２０を第１装飾部材１０に対してネジやビスなどの固定部品を用いて固定する場合に比べて、部品点数を少なくすることができるとともに、ステアリングホイール１の組立作業を簡単に且つ効率的に行うことができる。その結果、ステアリングホイール１における製造コストの削減を図ることができる。
【００８９】
更に、本実施例１のステアリングホイール１では、第２装飾部材２０に、ネジやビスなどを取り付けるための取付部を設ける必要がないため、第２装飾部材２０を、上述のような所望の細長い形状に容易に設計することができる。このような細長い形状の第２装飾部材２０を第１装飾部材１０に取り付けることによって、第１装飾部材１０と第２装飾部材２０との色の違いをはっきりと出すことができるとともに、ステアリングホイール１にシャープで洗練されたイメージを与えることも可能となるため、ステアリングホイール１の外観品質を飛躍的に向上させることができる。
【００９０】
更に、本実施例１の第２装飾部材２０は、前述の係着固定手段によって、第１装飾部材１０に対する第２装飾部材２０の固定強度が確保される。更に、この係着固定手段だけでなく、第２装飾部材２０の上下方向の略中央部に係合手段が構成されていることによって、第１装飾部材１０に対する第２装飾部材２０の固定状態を維持することができる。
【００９１】
特に本実施例１では、第２装飾部材２０の係着固定片部２５と第１装飾部材１０の係着部１５とを利用する係着固定手段が、第２装飾部材２０の上端部と下端部に設けられているとともに、第２装飾部材２０の各係着固定片部２５と、第１装飾部材１０の各系着部とが、上下方向に略等しい間隔をもって配されている。
【００９２】
これにより、例えば自動車の衝突時などに、ステアリングホイール１が運転席側から運転者などによる荷重の入力を受けて変形するときに（特にステアリングホイール１の下半
部に荷重が入力されたときに）、ステアリング本体２及び第１装飾部材１０の変形に追従するように変形させることができる。
【００９３】
特に、本実施例１では、係着固定手段を構成する第２装飾部材２０のＬ字状突片部２６が、Ｌ字の向きが上下方向の中央部を中心に向き合うように（言い換えると、横片部に対して縦片部が上下方向の中央部側に配されるように）形成されている。これにより、例えば第２装飾部材２０が、ステアリング本体２及び第１装飾部材１０の変形に伴って、当該第２装飾部材２０の下端部が後方側に移動するように変形しても、第２装飾部材２０を、第１装飾部材１０の変形に追従するように変形させることができる。
【００９４】
しかもこの場合、第１装飾部材１０の第２挿入孔部１８と第２装飾部材２０の第２板状突片部２８により構成される係合手段は、第２装飾部材２０の上下方向の略中央部に設けられている。この係合手段が設けられた第２装飾部材２０の略中央部は、第２装飾部材２０の第２係着固定片部２５ｂと第３係着固定片部２５ｃとに挟まれており、第２装飾部材２０の上述のような曲げ変形を生じさせる部位となる。
【００９５】
従って、このような第２装飾部材２０の曲げ変形を積極的に生じさせるような部位に、第２板状突片部２８を抜脱可能に係合させる係合手段が設けられることにより、第２装飾部材２０が第１装飾部材１０の変形に追従して変形する際に、第２装飾部材２０の第２板状突片部２８が第１装飾部材１０の第２挿入孔部１８から抜脱することが規制されず、第２装飾部材２０をより円滑に、且つ柔軟に変形させることができる。
【００９６】
それにより、ステアリングホイール１の変形時に、第２装飾部材２０に入力された荷重を効果的に逃がすことができ、また、第２装飾部材２０によってステアリング本体２や第１装飾部材１０の変形が規制されることも防止でき、衝撃を効果的に吸収できる。
【００９７】
更に本実施例１においては、第２装飾部材２０の上端部と下端部とに、第２装飾部材２０の係着固定片部２５と第１装飾部材１０の係着部１５とを利用する係着固定手段が設けられているため、ステアリング本体２及び第１装飾部材１０の変形時に衝撃をより効果的に吸収できる。
【符号の説明】
【００９８】
１                ステアリングホイール
２                ステアリング本体
３                リム部
４                ボス部
５                スポーク部
５ａ              取付孔
５ｂ              ネジ孔
１０                第１装飾部材（第１ガーニッシュ）
１０ａ              補強リブ
１０ｂ              係合突起部
１０ｃ              ネジ取付部
１１                第１装飾本体部
１１ａ              開口部
１２                取付部
１３                内側延出部
１５                係着部
１５ａ              第１係着部
１５ｂ              第２係着部
１５ｃ              第３係着部
１５ｄ              第４係着部
１６                Ｌ字状溝部
１７                第１挿入孔部
１８                第２挿入孔部
２０                第２装飾部材（第２ガーニッシュ）
２１                第２装飾本体部
２２                細板片部
２３                対向板片部
２４                位置決め凸部
２５                係着固定片部（爪部）
２５ａ              第１係着固定片部
２５ｂ              第２係着固定片部
２５ｃ              第３係着固定片部
２５ｄ              第４係着固定片部
２６                Ｌ字状突片部
２７                第１板状突片部
２８                第２板状突片部
３１                前後方向規制部（着脱方向規制部）
３２                直交方向規制部
【図１】
2014233986.tif 000003
【図２】
2014233986.tif 000004
【図３】
2014233986.tif 000005
【図４】
2014233986.tif 000006
【図５】
2014233986.tif 000007
【図６】
2014233986.tif 000008
【図７】
2014233986.tif 000009
【図８】
2014233986.tif 000010
【図９】
2014233986.tif 000011
【図１０】
2014233986.tif 000012
【図１１】
2014233986.tif 000013
【図１２】
2014233986.tif 000014